(57)【特許請求の範囲】
【請求項１】
所定の直径の筒状に形成された可撓性のシート状部材の対向する内面同士を密着するように重ね合わせてなる長方形の部材を、前記シート状部材の開口部を形成した２辺とそれぞれ直角をなす他の２辺同士を重ね合わせるようにして折り畳み、これにより得られた長方形の部材の前記他の２辺同士を同様に重ね合わせるように折り畳むことを全体として複数回繰り返した後の折り畳み物の前記開口部を形成した２辺のうちの１辺側の端部に、その辺を示す方向としての幅方向の全長にわたって、折り畳みにより重ね合わされたシート状部材のすべての対向面が互いに密着する帯状の密着保持部を形成していることを特徴とする携帯用袋体。
【請求項２】
所定の直径の筒状に形成された可撓性のシート状部材の対向する内面同士を密着するように重ね合わせてなる長方形の部材を、前記シート状部材の開口部を形成した２辺の長さが共に短くなる方向にこれら２辺と直角方向をなす折り目を用いて複数回折り畳んでなる長方形の折り畳み物の１辺側の端部に、その辺を示す方向としての幅方向の全長にわたって、折り畳みにより重ね合わされたシート状部材のすべての対向面が互いに密着する帯状の密着保持部を形成していることを特徴とする携帯用袋体。
【請求項３】
前記密着保持部は加熱によって融着されていることを特徴とする請求項１または請求項２記載の携帯用袋体。
【請求項４】
前記密着保持部は接着剤で接着されていることを特徴とする請求項１または請求項２記載の携帯用袋体。
【請求項５】
前記密着保持部は前記２辺と平行な帯状の密着状態の領域が所定間隔で複数配置された部位として構成されていることを特徴とする請求項１または請求項２記載の携帯用袋体。
【請求項６】
前記密着保持部は、前記シート状部材の端部近傍が所定幅で折り返された状態で互いに密着状態に保持されていることを特徴とする請求項１または請求項２記載の携帯用袋体。
【請求項７】
前記折り畳み物は、前記密着保持部で前記シート状部材が８枚重ねられた状態となるように折り畳まれていることを特徴とする請求項１記載の携帯用袋体。
【請求項８】
前記シート状部材は、シート内部に補強部材が埋設されていることを特徴とする請求項１〜請求項７いずれかに記載の携帯用袋体。
【請求項９】
請求項１〜請求項８いずれかに記載の前記携帯用袋体を、折り畳んだ状態で、ポケットサイズのパッケージに収容したことを特徴とする携帯用袋体パッケージ。
【請求項１０】
前記ポケットサイズのパッケージには、前記携帯用袋体と共に、ポケットサイズに折り畳まれたティッシュペーパが同梱されていることを特徴とする請求項９記載の携帯用袋体パッケージ。
【請求項１１】
前記ポケットサイズのパッケージには、前記携帯用袋体の用途が広告と共に印刷されていることを特徴とする請求項９記載の携帯用袋体パッケージ。
【発明の詳細な説明】
【技術分野】
【０００１】
本発明は、各種用途に使用できる携帯用袋体およびこれを所定個数収容した携帯用袋体パッケージに係わり、たとえば防災用品として常に携行可能な携帯用袋体および携帯用袋体パッケージに関する。
【背景技術】
【０００２】
地震や火災あるいは水害等の災害への関心が高まっており、各種の防災用品が販売されている。また、飲料水や簡易トイレ等の幾つかの備品をまとめて袋詰めしたものも販売されている。このような防災用品は、災害が発生したときに常に自分の周囲に存在することが重要である。そこで、縫いぐるみの一部に取り出し口を設け、内部に食品、医薬品、トイレットペーパや飲料水等の備品を入れておくことが、本発明の第１の関連技術として提案されている（たとえば特許文献１参照）。
【０００３】
しかしながら、縫いぐるみは、特に大人が屋外で携行するには抵抗がある。そこで背負い型のカバンに浮き袋や防災用の小物を収容することが、本発明の第２の関連技術として提案されている（たとえば特許文献２参照）。
【０００４】
この第２の関連技術では、背負い型のカバンに防災用品を収容するので、持ち歩きに便利である。また、水害時にはカバンと一体となった袋にエアーを注入することで浮き袋にすることができる。したがって、水害にも対応できるという利点がある。
【特許文献１】特開２０００−０５１５３７号公報（第０００８段落、第０００９段落、図１）
【特許文献２】特開２００５−０７５３２４号公報（第０００５段落、図５）
【発明の開示】
【発明が解決しようとする課題】
【０００５】
しかしながら、第１および第２の関連技術では、防災用品を入れた縫いぐるみやカバン等の容器がかなりの容量を占め、また、重量もあるので、通勤や、ちょっとした買い物にこれらを携行することはできない。この一方で、エレベータや電車等の乗り物に長時間閉じ込められる事故や、火事、水害といった身の回りの危険は、行く先を問わずに発生するおそれがある。
【０００６】
そこで本発明の目的は、ポケットに入るサイズで各種の非常事態に最低限対応可能な携帯用袋体および携帯用袋体パッケージを提供することにある。
【課題を解決するための手段】
【０００７】
本発明の携帯用袋体は、所定の直径の筒状に形成された可撓性のシート状部材の対向する内面同士を密着するように重ね合わせてなる長方形の部材を、前記シート状部材の開口部を形成した２辺とそれぞれ直角をなす他の２辺同士を重ね合わせるようにして折り畳み、これにより得られた長方形の部材の前記他の２辺同士を同様に重ね合わせるように折り畳むことを全体として複数回繰り返した後の折り畳み物の前記開口部を形成した２辺のうちの１辺側の端部に、その辺を示す方向としての幅方向の全長にわたって、折り畳みにより重ね合わされたシート状部材のすべての対向面が互いに密着する帯状の密着保持部を形成していることを特徴としている。
また、本発明の携帯用袋体は、所定の直径の筒状に形成された可撓性のシート状部材の対向する内面同士を密着するように重ね合わせてなる長方形の部材を、前記シート状部材の開口部を形成した２辺の長さが共に短くなる方向にこれら２辺と直角方向をなす折り目を用いて複数回折り畳んでなる長方形の折り畳み物の１辺側の端部に、その辺を示す方向としての幅方向の全長にわたって、折り畳みにより重ね合わされたシート状部材のすべての対向面が互いに密着する帯状の密着保持部を形成していることを特徴としている。
【０００８】
この携帯用袋体は、シート状部材の端部近傍が所定幅で折り返された状態で互いに密着状態に保持されていてもよく、これによりこの端部近傍の強度を十分保つことができる。密着保持部は加熱によって融着されていてもよいし、接着剤で接着されていてもよい。また、密着保持部は前記した２辺と平行な帯状の密着状態の領域が所定間隔で複数配置された部位として構成されていてもよい。更に、前記した折り畳み物は、前記したシート状部材が８枚重ねられた状態となるように折り畳まれていてもよい。更にまた、携帯用袋体を構成するシート状部材は、機密性の各種の素材を使用することができる。シート状部材を補強するために、たとえば網状の補強材をシート内部に封止するようなものであってもよい。
【０００９】
また、本発明の携帯用袋体パッケージは、請求項１〜請求項８いずれかに記載の前記した携帯用袋体を折り畳んだ状態で、ポケットサイズのパッケージに収容したものであることを特徴としている。これにより、ポケット等のわずかな空間に携帯用袋体をパッケージ化して収容することができる。
【発明の効果】
【００１０】
以上説明したように本発明の携帯用袋体によれば、所定の直径の筒状に形成された可撓性のシート状部材を折り畳んだ状態でその一端近傍を幅方向の全長にわたって、折り畳みにより生じたすべての対向面で互いに密着して帯状の密着保持部を形成している。この結果、シート状部材を折り畳まずに一端を封止しているものと比較して、シートを封止したエッジ部分にかかる水圧等の圧力を分散することができる。したがって封止下部分の強度を十分保つことができるばかりでなく、密着保持部の長さが短くなるので、水等の溶液や流動性の物質を入れたとき、この部分が底部中央に位置することで底部全体が安定するという効果がある。
【００１１】
また、本発明の携帯用袋体パッケージはポケットティッシュとほぼ同一の形状で商業的に流通させることができるので、携行しやすく、何かのときにすぐに携帯用袋体を取り出して使用することができる。したがって、広告宣伝のツールとして利用することができ、ユーザは経済的な負担なく利用できる可能性が高く、広範囲な流通により、結果的に各種の事態に対して広範囲に活用することができるという優れた効果を奏する。
【発明を実施するための最良の形態】
【００１２】
以下実施例につき本発明を詳細に説明する。
【実施例１】
【００１３】
図１は、本発明の一実施例における携帯用袋体を収容した携帯用袋体パッケージの外観を表わしたものである。携帯用袋体パッケージ１００は、銀行等の企業が販売促進や広告のために路上で無料配布するポケットティッシュと外観上でほぼ同一のものとなっている。本実施例の携帯用袋体パッケージ１００はその表面１０１に、防災袋が入っていることの表示と、災害時に必要な情報が印刷されていると共に、広告主の名称や電話番号と簡単な広告が印刷されている。表面１０１には、ミシン目１０２が加工されており、災害時にここから携帯用袋体としての防災袋を所定枚数順次取り出すことができるようになっている。防災袋であることの表示がミシン目１０２の存在する表面側に行われているのは、ティッテュペーパと間違わないようにするためである。
【００１４】
図２は、この携帯用袋体パッケージの裏面の印刷内容を表わしたものである。携帯用袋体パッケージの裏面１０３には、防災袋の用途と簡単な説明が印刷されている。文章の代わりにイラストが適宜使用されてもよい。本実施例の携帯用袋体パッケージ１００の表面に防災袋であることの表示と袋の説明を行い、裏面側の全部を広告に使用してもよい。
【００１５】
図３は、携帯用袋体パッケージから取り出した防災袋の外観を表わしたものである。防災袋１１１は折り畳まれた状態となっており、薄いポリエチレンシートあるいはビニールがコートされた不織布のような空気や水を通さない薄い可撓性の筒状の材料を加工したものとなっている。ポリエチレンシートを二重構造として内部に糸で編んだ網目を挟み込んで接着し、袋自体の引っ張り強度を高めたものであってもよい。
【００１６】
この防災袋１１１の開口部側の端部には赤色等の目立つ色で帯状の印刷１１１1が行われており、開口部側であることが分かるようになっている。本実施例では、「開口部」という文字１１２も印刷で表示されている。これら印刷の一方または全部を省略することでコストダウンを図ることも自由である。
【００１７】
図４は、防災袋を展開した状態を表わしたものである。防災袋１１１は、厚さ０．０２〜０．０３ｍｍ（ミリメートル）の半透明なポリエチレンシート１２１を筒状に形成したものを対向面を密着するように重ね合わせたときのサイズが、３０ｃｍ（センチメートル）×４２ｃｍとなっている。図で示した破線は、折り畳みの行われる位置をそれぞれ示したものである。
【００１８】
図５〜図９は、図４に示したようにシートを二重にした状態で長方形となったポリエチレンシートから防災袋を形成する工程を表わしたものである。まず、図５に示すように開口部を構成する二辺１３１、１３２の中点１３３、１３４を結ぶ仮想線１３５を、折り目を示す線として、これ以外の二辺１３６、１３７が重なり合うように、筒状のポリエチレンシート１２１の１回目の折り畳みを行う。
【００１９】
図６は、１回目の折り畳みが行われた状態を表わしたものである。重なり合った二辺１３６、１３７と、前記した仮想線１３５に対応する辺１３８が位置的に重なり合うようにこれらの中央に位置する仮想線１３９を、折り目を示す線として筒状のポリエチレンシート１２１の２回目の折り畳みを行う。
【００２０】
図７は、この２回目の折り畳みが行われた状態を示したものである。ポリエチレンシート１２１は結果的に８枚重ねの状態となっている。
【００２１】
図８は、この状態で一方の開口部を溶着した状態を表わしたものである。開口部を構成する一辺１３１の近傍を全幅で帯状に加熱溶着を行い、封止部１４１を形成する。封止部１４１は、ポリエチレンシート１２１を８枚重ね合わせた部分となっている。したがって、この部分を強固に封止することができる。
【００２２】
図９は、このようにして折り畳まれた筒状のポリエチレンシートを、コンパクトにするための折り畳み位置を示したものである。中央の折り畳み位置１５１で、まず二辺１３１、１３２が重なるように２つに折り畳む。更に図９で長辺を４等分する他の２つの折り畳み位置１５２、１５３が重なるように折り畳むと、図３に示す折り畳まれた防災袋１１１が完成する。なお、図３に示した開口部を示す印刷１１１1は、図４に示した状態で行っておく。
【００２３】
図１０は、完成した防災袋を使用に際して展開し、かつ封止されていない側の開口部にエアーを吹き込んで広げた状態で、これに水を適量入れた状態を示したものである。図８に示した封止部１４１は、開口部を構成する辺１３２の全長の８分の１の長さとなっている。したがって、この封止部１４１が防災袋１１１の底の中央に比較的小面積を占めて位置することになる。そして、封止部１４１を中心に、折り畳んだ箇所を展開した際に生じた８方向のヒダ１４２が放射状に存在することで、防災袋１１１に水１６１を入れた状態で、座りの良好な底部を有する容器を構成することになる。
【００２４】
これにより、防災袋１１１が実施例のサイズの場合、約３リットルの水を入れたバケツ状の容器として水を確保することができる。ただし、ポリエチレンシート１２１の厚さによっては転倒しないための多少の支えが必要である。また、防災袋１１１の上部を結んで縛ることで、持ち運び可能な水容器として活用することができる。更に、水の変わりに氷を入れることで氷嚢として用いることも可能である。更にまた、空気の新鮮な場所で口から息を吹き込んで図１０と同様の形状に膨らませて開口部側を手で持って口や鼻を覆うことによって、火事の際の煙を吸うことなく、呼吸をしながら火事場や有毒ガスの発生現場から脱出することができる。
【００２５】
もちろん、エレベータや乗り物に長時間閉じ込められるような事故が発生した場合には、これをトイレとして使用したり、アルコールや交通機関で酔った場合のエチケット袋として使用したりすることもできる。したがって、図１に示したような携帯用袋体パッケージ１００の状態でポケットやバックに常に携行しておくことで、自分だけでなく他人の非常時に大変重宝することになる。
【００２６】
本実施例ではシート材としてポリエチレンシート１２１を使用したので、−３０℃〜８０℃位の温度範囲で使用することができ、しかも焼却時に塩化水素等の有害ガスが発生することがない。しかも、水等の容器に使用したとき、十分な強度を保つことで各種用途に適用することができる。
【００２７】
しかも実施例では防災袋をパッケージに収容したので、これに広告を表示することで、企業が無料で顧客に配布することができる。したがって、防災袋１１１の収容された携帯用袋体パッケージ１００を各人が経済的な負担や重量的な負担を生じることなく取得し、ポケットやカバンに収容して常に携行することができる。これにより、非常時に大変重宝することになり、場合によっては人命を救うこともできる。
【００２８】
また、パッケージの表面や防災袋の表面に災害用伝言ダイヤル等の非常時に必要な情報を予め印刷しておくことで、携帯用袋体パッケージ１００を所持している者が非常時にこれらの情報を見て活用することができる。
【００２９】
＜発明の変形可能性＞
【００３０】
以上説明した防災袋は、各種の変形が可能である。
【００３１】
図１１は、折り畳まれた防災袋の表面には、接着用のテープ１１３によって、所定長の紐１１４の一端が固定されている。ユーザは、用途によってこの紐１１４を防災袋１１１と組み合わせて使用することができる。
【００３２】
図１２は、封止部の変形例を示したものであり、実施例の図８に対応するものである。開口部を構成する一辺１３１の近傍に２箇所の封止部１４１、１４２が形成されている。これにより、一方の開口部側の封止を補強することができる。なお、封止は加熱による溶着に限らず、接着剤で行ってもよい。
【００３３】
なお、実施例および変形例では、図８および図１２に示したようにシート材を８重にした状態でその端部を封止することにしたが、これに限定されるものではない。折り畳んで重ね合わせる回数は防災袋１１１の大きさとも関係するが４重、１６重と任意の重ねあわせを実現することができる。一般には、ある程度の枚数重ね合わせた後に開口部の一端を封止することで、図１０に示したような使用状態で底部の座りを安定させることができる。
【００３４】
また、実施例では筒状で両端が開口となったポリエチレンシート１２１を使用したが一端をすでに閉じた市販のゴミ袋のような一次加工品を使用して図７に示すように折り畳み、図８に示すように開口部を構成する辺１３２の反対側に封止部１４１を形成するようにしてもよい。また、封止部１４１は開口部を構成する辺１３１から間隔を置いて配置する必要はなく、辺１３１の部分を直接、融着あるいは接着するものであってもよい。
【００３５】
更に実施例では広告を携帯用袋体パッケージの表面１０１に印刷することにしたが、ポケットティッシュの場合と同様に広告や防災袋の説明を印刷した長方形の用紙を防災袋１１１と共に携帯用袋体パッケージ１００内に封入するものであってもよい。また、防災袋１１１を構成するシート状の部材に同様の印刷を行ってもよいことは当然である。
【００３６】
また、実施例では防災袋１１１を構成するシート状の部材をエチケット袋のような使用を前提として半透明としたが、透明であってもよいし、所定の色に印刷あるいは着色されたものであってもよい。模様を印刷したものであってもよいことは、もちろんである。シートの厚さおよび材料は実施例で示したものに限定されないことは当然である。
【００３７】
更に防災袋１１１は折り畳んでポケットティッシュと同様の携帯用袋体パッケージ１００に収容してもよいが、図８に示した状態の長尺物をロール状に巻回して円筒状のパッケージに収容することも可能である。また、防災袋１１１を収容する携帯用袋体パッケージ１００のサイズや形状は各種のものが市場に出回っており、これらのいずれに対しても本発明を適用することができる。たとえば、携帯用袋体パッケージ１００のサイズは子供用のものがあってもよく、防災袋１１１の展開時のサイズもたとえば実施例で示したサイズの半分程度であってもよい。また、帯用袋体パッケージ１００の形状は長方形である必要がなく四角形あるいはこれを対角線で折り畳んだ３角形であってもよい。
【００３８】
更にまた、封止部は開口部を構成する端部を１回等の所定回折り畳んで、その上を溶着等で封止するようにしてもよい。これにより、同様に封止部の強度および密閉性を高めることができる。また、封止部の反対側の開口部を一周するようにこの部分に予め紐を通しておき、使用時に防災袋１１１を巾着袋として使用することもできる。
【００３９】
また、ポケットサイズの携帯用袋体パッケージ１００には、携帯用袋体としての防災袋１１１を１枚あるいは数枚と共に、ポケットサイズに折り畳まれたウェットテッシュが適宜の枚数組み合わせて封入されていてもよい。このウェットテッシュが更に滅菌処理されていれば防災袋１１１の使用の過程で衛生的な処理が可能になる。もちろん、ウェットテッシュの代わりに、通常のティッシュペーパが防災袋１１１と共に適宜の枚数組み合わせて封入されていてもよい。
【００４０】
この場合、携帯用袋体パッケージ１００の表面には、エチケット袋等の表示を行って、飲食店のカウンタや飛行機の座席の前のポケット等の適宜の場所に置いておけばよい。このような携帯用袋体パッケージ１００は、顧客に安心感を与えるだけでなく、交通機関の汚れにより周囲の者に不快な環境を与えることを効果的に防止することができる。特にトイレやエチケット袋として使用したときに、あわててティッシュペーパを探し求める必要がなく手際のよい処理が可能である。
【００４１】
なお、防災袋１１１自体は携帯用袋体パッケージ１００に複数枚収容する場合、これらが１枚ずつ折り畳まれた状態で収容されていてもよいし、複数枚が１枚ずつミシン目で分離可能な状態で、一緒に折り畳まれた状態で収容されていてもよい。ティッシュペーパについても同様にその収容形態が限定されるものではない。
【図面の簡単な説明】
【００４２】
【図１】本実施例の携帯用袋体パッケージの外観を示す斜視図である。
【図２】本実施例の携帯用袋体パッケージの裏面の印刷内容を表わした平面図である。
【図３】本実施例の携帯用袋体パッケージから取り出した防災袋の外観を表わした斜視図である。
【図４】本実施例の防災袋を展開した状態を表わした平面図である。
【図５】実施例で１回目の折り畳みが行われる前の防災袋を表わした平面図である。
【図６】実施例で１回目の折り畳みが行われた状態の防災袋を表わした平面図である。
【図７】実施例で２回目の折り畳みが行われた状態の防災袋を表わした平面図である。
【図８】実施例で折り畳んだ一方の開口部を溶着した状態の防災袋を表わした平面図である。
【図９】図８の状態の防災袋をコンパクトに折り畳む位置を示した説明図である。
【図１０】実施例で完成した防災袋を使用に際して展開し、水を知れた状態を示す斜視図である。
【図１１】本発明の変形例として折り畳まれた防災袋の表面に紐を取り外し自在に取り付けた状態を示す斜視図である。
【図１２】本発明の他の変形例で一方の開口部を溶着した状態の防災袋を表わした平面図である。
【符号の説明】
【００４３】
１００  携帯用袋体パッケージ
１０２  ミシン目
１１１  防災袋（携帯用袋体）
１１１1  （開口部を示す）印刷
１１２  文字
１１４  紐
１３１、１３２  開口部を構成する辺
１４１、１４２  封止部
【図１】
0005068142.tif 000002
【図２】
0005068142.tif 000003
【図３】
0005068142.tif 000004
【図４】
0005068142.tif 000005
【図５】
0005068142.tif 000006
【図６】
0005068142.tif 000007
【図７】
0005068142.tif 000008
【図８】
0005068142.tif 000009
【図９】
0005068142.tif 000010
【図１０】
0005068142.tif 000011
【図１１】
0005068142.tif 000012
【図１２】
0005068142.tif 000013